(57)【要約】【課題】用紙の紙送り姿勢を一定に保つことができる紙送りローラ、及び、紙送り装置を提供する。【解決手段】ローラ基体１０は、空洞１６を有する筒状連続体であって、弾力性を有する部材により構成され、紙接触部１１と、脚部１４と、第１及び第２支持片１２、１３とを含む。第１及び第２支持片１２、１３は、紙接触部１１の軸方向の両側に設けられ、貫通孔１５を取り囲む端縁を有している。脚部１４は、空洞１６の内周面に沿って、径方向に突出して設けられている。紙送りローラ１は、紙送りローラ用支持体２と組み合わされて紙送り装置を構成する。第１及び第２支持片１２、１３の端縁は、第１及び第２凹溝２２、２３にそれぞれ嵌め込まれ、且、端縁１４１が間隔Ｄ５３を隔てて支持基体２０と相対向して、紙送りローラ用支持体２と組み合わされ、紙送り装置を構成する。【選択図】    図６
2004331235.tif 000002
【特許請求の範囲】
【請求項１】
貫通孔と、ローラ基体とを含む紙送りローラであって、
前記貫通孔は、前記ローラ基体の軸心上を貫通しており、
前記ローラ基体は、内部に空洞を有する筒状連続体であって、弾力性を有する部材により構成され、紙接触部と、支持片と、脚部とを含み、
前記紙接触部は、紙接触面となる円筒状の外周面を構成し、
前記支持片は、前記紙接触部の軸方向の両側に設けられ、前記貫通孔を取り囲む端縁を有しており、
前記脚部は、前記空洞の内周面に沿って、径方向に突出して設けられている紙送りローラ。
【請求項２】
請求項１に記載された紙送りローラであって、
前記脚部は、周方向に連続している紙送りローラ。
【請求項３】
請求項１に記載された紙送りローラであって、
前記脚部は、周方向に断続している紙送りローラ。
【請求項４】
紙送りローラと、紙送りローラ用支持体とを含む紙送り装置であって、
前記紙送りローラは、請求項１乃至３の何れかに記載されたものでなり、
前記紙送りローラ用支持体は、支持基体を含み、
前記支持基体は、間隔を隔てて対向するリング状の凹溝を、少なくとも２つ以上有しており、
前記紙送りローラは、前記支持片の端縁のそれぞれが、前記凹溝のそれぞれに嵌め込まれ、且、前記脚部の端縁が間隔を隔てて前記支持基体と相対向して、前記紙送りローラ用支持体と組み合わされている
紙送り装置。
【発明の詳細な説明】
【０００１】
【発明の属する技術分野】
本発明は、紙送りローラ、及び、紙送り装置に関する。
【０００２】
【従来の技術】
紙送り装置は、プリンタ、ファックス等のＯＡ機器に使用され、用紙を送り出す機能を有している。従来の紙送り装置は、一般的には、紙送りローラと、紙送りローラ用支持体とを備えている。紙送りローラは、支持体の周囲を覆っていて、紙接触面と用紙との間の摩擦力により紙送りを行う。
【０００３】
例えば、特許文献１に開示されている紙送り装置において、支持体は、第１の凹部と、第２の凹部とを有している。第１及び第２の凹部のそれぞれは、支持体の外周の回りにリング状に形成され、支持体の軸方向に互いに間隔を隔てて備えられている。紙送りロ−ラは、弾力性を有する部材で構成され、外筒部と、第１の内筒部と、第２の内筒部とを有する。外筒部は、内部に空洞部を有している。第１及び第２の内筒部のそれぞれは、軸方向に貫通する貫通孔を有し、外筒部の軸方向の両端側において、空洞部内に互いに間隔を隔てて同軸状に配置され、軸方向の端部が外筒部の軸方向の端部に連続している。支持体と、紙送りローラとは、第１の内筒部が第１の凹部に嵌り、第２の内筒部が第２の凹部に嵌り合う関係で組み合わされている。
【０００４】
特許文献２に開示されている紙送り装置は、紙送りローラが、紙送りローラ用支持体に装着されている。紙送りローラは、弾性基体と、複数のアーチ状空洞部とを含む。アーチ状空洞部は、弾性基体の第１の面に備えられ、第１の方向に延び、第１の方向に垂直に交わる第２の方向に配列されている。弾性基体は、第１の面と対向する第２の面を有している。第２の面は複数の湾曲部を有しており、湾曲部のそれぞれはアーチ状空洞部とは反対側に位置し、第１の方向に延び第２の方向に横並びに配置され、第２の面の外郭を形成する。
【０００５】
ところで、この種の紙送り装置には、紙送り不良を防止するため、用紙の紙送り姿勢を一定に保つことが要求される。用紙の紙送り姿勢を一定に保つために必要な要件の１つは、紙送りローラの紙接触部が、軸方向の全長にわたって安定して用紙に接触していることである。
【０００６】
しかし、特許文献１及び２に示す紙送り装置のように、紙送りローラが、その両端に備えられた２つの支持構造により支持体上に設置されている場合、紙接触部には、支持構造を有しない中央部に押し圧力が集中し、中央部が凹状に湾曲する不都合が生じていた。上述した不都合を解消しない限り、紙送りローラは、紙接触部が、その軸方向の全長にわたって用紙に接触することができない。
【０００７】
【特許文献１】
特許第３２３８１２１号公報
【特許文献２】
特開２００２−２３４６５２号公報
【０００８】
【発明が解決しようとする課題】
本発明の課題は、用紙の紙送り姿勢を一定に保つことができる紙送りローラ、及び、紙送り装置を提供することである。
【０００９】
【課題を解決するための手段】
上述した課題を解決するため、本発明に係る紙送りローラは、貫通孔と、ローラ基体とを含む。前記貫通孔は、前記ローラ基体の軸心上を貫通している。前記ローラ基体は、内部に空洞を有する筒状連続体であって、弾力性を有する部材により構成され、紙接触部と、支持片と、脚部とを含む。前記紙接触部は、紙接触面となる円筒状の外周面を構成する。前記支持片は、前記紙接触部の軸方向の両側に設けられ、前記貫通孔を取り囲む端縁を有している。前記脚部は、前記空洞の内周面に沿って、径方向に突出して設けられている。
【００１０】
上述した紙送りローラは、紙送りローラ用支持体と組み合わされ、紙送り装置を構成する。前記紙送りローラ用支持体は、支持基体とを含む。前記支持基体は、間隔を隔てて対向するリング状の凹溝を、少なくとも２つ以上有している。前記紙送りローラは、前記支持片の端縁のそれぞれが、前記凹溝のそれぞれに嵌め込まれ、且、前記脚部の端縁が間隔を隔てて前記支持基体と相対向して、前記紙送りローラ用支持体と組み合わされている。
【００１１】
上述したように紙送りローラのローラ基体は、内部に空洞を有する筒状連続体であって、貫通孔はローラ基体の軸心上を貫通しているから、紙送りローラ用支持体を紙送りローラの内部に案内することができる。
【００１２】
また、ローラ基体は、弾力性を有する部材により構成されるから、押し圧力に応じて随時変形し、適当な接触姿勢で用紙に圧接することができる。
【００１３】
ローラ基体は、紙接触部と、支持片と、脚部とを含む。紙接触部は、通常、紙送りに必要な摩擦力を得るためのトレッドパターンを有するから、用紙に圧接した紙送りローラは、外周面において適当な摩擦力を獲得し、紙送りを確実に行うことができる。
【００１４】
支持片は、紙接触部の軸方向の両側に設けられ、貫通孔を取り囲む端縁を有している。脚部は、空洞の内周面に沿って、径方向に突出して設けられている。紙送りローラ用支持体は、支持基体を含み、支持基体は、間隔を隔てて対向するリング状の凹溝を、少なくとも２つ以上有している。紙送りローラは、支持片の端縁のそれぞれが、凹溝のそれぞれに嵌め込まれ、且、脚部の端縁が間隔を隔てて支持基体と相対向して、紙送りローラ用支持体と組み合わされている。
【００１５】
上述した組み合わせ構造によると、紙接触部が用紙からの押し圧力を受け、支持片を有しない中央部が用紙に対して凹状に湾曲しようとした場合に、脚部の端縁が支持基体に接触し、紙接触部を内周面側から支持する。従って、紙送りローラは、紙接触部が、その軸方向の全長にわたって安定して用紙に接触することができるから、用紙の紙送り姿勢を一定に保つことができる。
【００１６】
また、脚部は、空洞の内周面に沿って設けられている。従って、紙送り装置が回転駆動した場合に、全周にわたって紙送りローラの湾曲を防止することにより、用紙の紙送り姿勢を一定に保つことができる。
【００１７】
本発明の他の目的、構成及び利点については、添付図面を参照し、更に詳しく説明する。添付図面は、単に、例示に過ぎない。
【００１８】
【発明の実施の形態】
１．紙送りローラ
図１は本発明に係る紙送りローラの正面図、図２は図１の２−２線に沿った断面図、図３は図１に示した紙送りローラの左側面図である。図４は図１〜図３に示した紙送りローラの内部構造を示す展開図である。図４に示す紙送りローラにおいて、側端ａと、側端ｂとは結合されており、無端状の筒状連続体を構成している。
【００１９】
図１乃至図４を参照すると、紙送りローラは、貫通孔１５と、ローラ基体１０とを含む。貫通孔１５は、ローラ基体１０の軸心上を貫通し、空洞１６に連なる。貫通孔１５は、内径寸法Ｄ１５を有する。Ｄ１１は、紙送りローラの外径寸法を示す。図示からは必ずしも明らかではないが、貫通孔１５の内径寸法Ｄ１５は、紙送りローラの外径寸法Ｄ１１の１／２程度となることが好ましい。
【００２０】
ローラ基体１０は、内部に空洞１６を有する筒状連続体であって、弾力性を有する部材により構成される。弾力性を有する部材には、好ましくは、天然ゴム、合成ゴム、低硬度ゴムや、軟質プラスチック等の樹脂材料が用いられる。
【００２１】
図示するローラ基体１０は、紙接触部１１と、第１の支持片１２と、第２の支持片１３と、脚部１４とを含む。紙接触部１１は、紙接触面となる円筒状の外周面を構成し、その外周面にはトレッドパターンが形成されている。但し、トレッドパターンは、紙送りに適当な摩擦力を得るための構造であるから、図示する格子形状とは異なる構造であってもよい。トレッドパターンの具体的な構造としては、波線状、ブロック状、突起状等の形状を挙げることができる。さらに、ローラ基体１０の材質を適宜選定し、材質自体により適当な摩擦力を得ることができれば、必ずしもトレッドパターンを設けなくともよい。
【００２２】
第１及び第２の支持片１２、１３は、紙接触部１１の軸方向の両側に設けられている。図４を参照すると、第１及び第２の支持片１２、１３は、間隔Ｄ１４を隔てて、紙接触部１１の相対向する両辺に互いに対向するように設けられる。
【００２３】
第１及び第２の支持片１２、１３は、貫通孔１５を取り囲む端縁を有している。図示する第１及び第２の支持片１２、１３の端縁は、断面円弧状の膨張部であって、紙接触部１１の軸方向の両側に開口する貫通孔１５において、その内周にわたって連続するリング状に設けられている。第１の支持片１２の端縁は、断面円弧状の最大肉厚径寸法Ｄ１２を有する。第２の支持片１３の端縁は、断面円弧状の最大肉厚径寸法Ｄ１３を有する。
【００２４】
なお、本明細書において、断面円弧状の「円弧状」とは、必ずしも一定点を有する真円の円周の一部に限定されない。具体的には、楕円形形状の一部や、複数の直線が連続して形成される多角形形状の一部、及び、それらの組み合わせ形状も、上述した円弧状に含める。
【００２５】
脚部１４は、空洞１６の内周面において、径方向に突出し、周方向に連続するリング状に形成されている。より詳細に説明すると、脚部１４は端縁１４１を有し、端縁１４１は、空洞１６の内周面において、ローラ基体１０に相対向する径方向に突出するとともに、周方向に連続するリング状に形成されている。
【００２６】
２．紙送り装置
上述した紙送りローラは、紙送りローラ用支持体と組み合わされて、紙送り装置を構成する。図５は本発明に係る紙送り装置の正面図、図６は図５の６−６線に沿った断面図である。
【００２７】
図５及び図６を参照すると、紙送り装置は、紙送りローラ１と、紙送りローラ用支持体２とを含む。紙送りローラ１は、図１乃至図４に記載されたものでなる。従って、図１乃至図４に示した構成部分と同一の構成部分には、同一の参照符号を付し、重複説明を省略する。
【００２８】
紙送りローラ用支持体２について、図７は図５乃び図６に示した紙送りローラ用支持体の平面図、図８は図７の８−８線に沿った断面図である。
【００２９】
図７及び図８を参照すると、紙送りローラ用支持体は、貫通孔２５と、支持基体２０とを含む。貫通孔２５は、支持基体２０の軸心上を貫通している。貫通孔２５は、紙送りローラ用支持体が紙送り装置に用いられる場合に、外部の駆動装置と結合するための構造である。
【００３０】
図示する支持基体２０は、第１乃び第２の凹溝２２、２３を有する。第１乃び第２の凹溝２２、２３それぞれは、断面半円弧状であり、内径寸法Ｄ２２、２３を有する。内径寸法Ｄ２２、２３は、図１乃至図４に示した第１及び第２の支持片１２、１３とそれぞれ嵌合し、これを保持可能な範囲で設定される。
【００３１】
第１乃び第２の凹溝２２、２３は、第１及び第２の支持片１２、１３と嵌合される対応関係にある。従って、第１乃び第２の凹溝２２、２３の断面円弧状にも、楕円形形状の一部や、複数の直線が連続して形成される多角形形状の一部、及び、それらの組み合わせ形状が含まれる。一般に、第１乃び第２の凹溝２２、２３は嵌合構造において雌型となるから、好ましい断面形状は、半円弧状である。
【００３２】
第１の凹溝２２と、第２の凹溝２３とは、支持基体２０において、間隔Ｄ２４を隔てて対向するリング形状に設けられ、且、一対の構造となっている。隣接して対をなす凹溝の間隔Ｄ２４は、嵌合される第１及び第２の支持片１２、１３の間隔Ｄ１４に対応して決定される設計的事項である。また、凹溝の径寸法Ｄ２１は、紙送りローラの貫通孔１５の内径寸法Ｄ１５との対応関係により決定される設計的事項である。
【００３３】
図７乃至図８に示す紙送りローラ用支持体は、第１乃び第２の凹溝２２、２３の内部にスリット２６を３つ含む。３つのスリット２６は、空気逃げ孔となるものであって、好ましくは、円周上に等間隔に配置される。スリット２６は、支持基体２０の外周に開口し、且、第１乃び第２の凹溝２２、２３の内部を軸方向に横切って伸びている。
【００３４】
図５及び図６に示す紙送り装置は、図１乃至図４に示す紙送りローラと、図７乃び図８に示す紙送りローラ用支持体とを含み、相互に組み合わされている。
【００３５】
図５及び図６を参照すると、紙送りローラ１は、第１の支持片１２の端縁が、第１の凹溝２２に密着して嵌め込まれるように組み合わされ、第２の支持片１３の端縁が、第２の凹溝２３に密着して嵌め込まれている。
【００３６】
ここで、第１乃び第２の凹溝２２、２３の内径寸法Ｄ２２、２３（図７参照）は、好ましくは、第１及び第２の支持片１２、１３の最大肉厚径寸法Ｄ１２、Ｄ１３（図４参照）以下に設定されている。即ち、両者の好ましい嵌合関係として、雌型となる第１乃び第２の凹溝２２、２３の内径寸法Ｄ２２、２３は、雄型となる第１及び第２の支持片１２、１３の最大肉厚径寸法Ｄ１２、１３以下に設定されている。
【００３７】
また、第１乃び第２の凹溝２２、２３の径寸法Ｄ２１（図８参照）は、貫通孔１５それぞれの内径寸法Ｄ１５（図２参照）との対比で決定される。径寸法Ｄ２１は、好ましくは、貫通孔１５それぞれの内径寸法Ｄ１５以上に設定されている。
【００３８】
さらに、紙送りローラ１は、脚部１４の端縁１４１が、間隔Ｄ５３を隔てて支持基体２０と相対向して、紙送りローラ用支持体２と組み合わされている。間隔Ｄ５３は、第１及び第２の支持片１２、１３の長さ寸法と、脚部１４の長さ寸法との設定により決定される設計的事項である。
【００３９】
上述した組み合わせにより、紙送り装置は、紙送りローラ１と、紙送りローラ用支持体２との間に、空洞１６が広く形成される。紙送りローラ用支持体２のスリット２６は、空洞１６の内部から外部に連通する。
【００４０】
図９は図７及び図８に示した紙送り装置の動作を説明する図、図１０は図９の１０−１０線に沿った断面図である。
【００４１】
図９及び図１０に示す紙送り装置は、作業台４に載置された状態の用紙３を紙送りの対象としている。これらは説明の便宜上簡略化した例示に過ぎないうえ、当該技術分野において、周知の構成部分であるから、詳細は省略する。
【００４２】
図９及び図１０を参照すると、紙送り装置は、回転軸６を有する。回転軸６は、軸ａを中心に矢印Ｒで示す方向に回転する駆動装置（図示しない）に組み合わされている。用紙３は、矢印Ｍで示す方向に送られる。
【００４３】
Ｄ５１は、空洞１６の内部空間距離の最大値を示す。空間距離Ｄ５１の部分においては、紙接触面１１、第１及び第２の支持片１２、１３には何らの押し圧力も加えられていないから、紙送りローラ１が有する弾力性により安定した形状となる。そして、空間距離Ｄ５１は、第１及び第２の支持片１２、１３と、脚部１４の長さ寸法の相違により、脚部１４の端縁１４１と、支持基体２０との間に間隔Ｄ５３を含む。
【００４４】
Ｄ５２は、空洞１６の内部空間距離の最小値を示す。空間距離Ｄ５２の部分において、紙送りローラ１には、紙接触部１１が用紙３に接触し、かつ、回転による摩擦が加えられている。その結果、紙接触部１１と、第１及び第２の支持片１２、１３は、用紙３及び作業台４から押し圧力を受けて変形し、空洞１６の内部にある空気が圧縮され、スリット２６を通して外部に放出される。空洞１６の内部の空気が外部に放出されることにより、紙送りローラ１は空洞１６の空気圧が低下し、さらに紙送りローラ１の弾力性に従って変形を続け、用紙３に対する紙接触部１１の接触面積がより広くなる一方、間隔Ｄ５３が消失し、脚部１４の端縁１４１が、支持基体２０の表面に接触する。
【００４５】
そして、紙送り装置が矢印Ｒで示す回転方向に回転し続けることにより、用紙３は矢印Ｍで示す紙送り方向に送られる。一方、紙送りローラ１の紙接触面１１が、用紙３との接触面から離れると、紙送りローラ１には、その弾力性から復元力が加わる。紙送りローラ１が空間距離Ｄ５１を有する形状に復元する場合、スリット２６から空気が吸い込まれるから、容易に元の形状に復元する。
【００４６】
上述した紙送り装置において、ローラ基体１０は内部に空洞１６を有する筒状連続体であって、貫通孔１５はローラ基体の軸心上を貫通し空洞１６に連なっているから、紙送りローラ用支持体２を、貫通孔１５から紙送りローラ１の内部の空洞１６に案内することができる。
【００４７】
紙送りローラ１は、ローラ基体１０が弾力性を有する部材で構成されており、且、紙送りローラ用支持体２はスリット２６を含むから、紙接触部１１に用紙３からの押し圧力が加えられると、空洞１６の内部の空気がスリット２６から排出され、紙接触部１１が深くつぶれて変形する。
【００４８】
上述した紙接触部１１の変形において、紙送りローラ１の両端部付近は、第１及び第２の支持片１２、１３により支持されているから、紙接触部１１が用紙３に圧接する。これに対し、紙送りローラ１の中央部は、第１及び第２の支持片１２、１３により支持されていないから、隣接する第１及び第２の支持片１２、１３からの押し圧力が集中し、紙接触部１１が用紙３に対して凹状に湾曲しようとする。脚部１４は、空洞１６の内周面に沿って、径方向に連続するリング状に設けられており、端縁１４１が間隔Ｄ５３を隔てて支持基体２０と相対向して、紙送りローラ用支持体２と組み合わされているから、紙接触部１１の変形は、間隔Ｄ５３の範囲内で行われ、間隔Ｄ５３を超えて湾曲変形が生じた場合に、脚部１４の端縁１４１が支持基体２０に接触し、紙接触部１１の紙接触姿勢を内周面側から支持する。従って、紙接触部１１は、軸方向の全長にわたって用紙３に接触し、用紙の紙送り姿勢を一定に保つことができる。
【００４９】
また、脚部１４は、空洞１６の内周面において、連続するリング状に設けられているから、回転駆動する紙送りローラ１において、随時紙接触面の変形を制御し、紙接触部１１の全周にわたって均一な用紙接触姿勢を確保する。従って、紙送りローラ１の全周部分において紙送りを正確に行うことができる。また、脚部１４は、周方向に形成されているから、製造容易である。
【００５０】
間隔Ｄ５３は、第１及び第２の支持片１２、１３と、脚部１４の長さ寸法の相違により形成されるから、適宜距離を設定することで、紙送りローラ１が、用紙３の厚みに対応してつぶれる距離を長く設定することができる。このため、用紙３の厚さを問わずに紙送りを行うことができる。
【００５１】
紙接触部１１は、紙送りに適当な摩擦力を得るためのトレッドパターンを有するから、用紙３に圧接した紙送りローラは、外周面において適当な摩擦力を獲得し、紙送りを確実に行うことができる。
【００５２】
第１及び第２の支持片１２、１３の端縁と、第１乃び第２の凹溝２２、２３とは、ともに断面円弧状であって、第１乃び第２の凹溝２２、２３の内径寸法Ｄ２２、２３は、好ましくは、第１及び第２の支持片１２、１３の最大肉厚径寸法Ｄ１２、Ｄ１３以下に設定されている。そして、第１及び第２の支持片１２、１３の端縁のそれぞれと、第１乃び第２の凹溝２２、２３のそれぞれとを密着して嵌め込んだ場合、両者間に面積が拡大された接触面が形成され、第１及び第２の支持片１２、１３の端縁が、第１乃び第２の凹溝２２、２３の内部接触面に対し、圧縮された状態で弾性的に密着する。従って、紙送りローラ１と、紙送り用支持体２とが、良好に結合され、紙送りローラ１の回転軸方向への位置ずれ防止とともに、回転方向への滑りを阻止し得ることにより、紙送りを正確に行うことができる。
【００５３】
また、貫通孔１５の内径寸法Ｄ１５は、好ましくは、第１乃び第２の凹溝２２、２３の径寸法Ｄ２１以下に設定されている。その結果、紙送りローラ１と、紙送りローラ用支持体２とが組み合わされた場合、貫通孔１５は、その弾力性により、第１乃び第２の凹溝２２、２３それぞれに対して圧接する。従って、紙送りローラ１と、紙送り用支持体２とが、良好に結合され、紙送りローラの回転軸方向への位置ずれ防止とともに、回転方向への滑りを阻止し得る。
【００５４】
貫通孔２５は、紙送りローラ用支持体２の軸心上に設けられる。従って、紙送りローラ用支持体２は、紙送り装置に用いられた場合に、駆動する回転軸６を、その内部に案内することができる。
【００５５】
また、スリット２６は、空洞１６の空気を換気できる。従って、用紙３との接触時、または、非接触時を問わず、紙送りローラ１に加えられる空気圧は適当に保たれ、長時間使用による紙送りローラの劣化を最小限に抑えることができる。
【００５６】
３．紙送りローラの他の実施例
図１１は本発明にかかる送りローラについて、別の実施例を示す展開図、図１２は図１１とはさらに別の実施例を示す展開図、図１３は図１２とはさらに別の実施例を示す展開図、図１４は図１３とはさらに別の実施例を示す展開図である。
【００５７】
上述したように、本発明の課題は、紙送りローラ１の脚部１４が、紙接触面１１の湾曲を内周面側から支持し、紙接触部１１が、その軸方向の全長にわたって安定して用紙３に接触する構造により、用紙の紙送り姿勢を一定に保つ点にある。従って、上述した課題を達成可能であれば、脚部１４の形状は、図４に示すように、第１及び第２の支持片１２、１３と平行するように形成されている必要はない。
【００５８】
例えば、脚部１４は、図５乃び図６で示すように斜線状、波線状に設けることができる。また、図７で示すように、脚部１４は、端縁１４１が、空洞１６の内周面において、ローラ基体１０の軸方向に突出するとともに、径方向に断続して延びるように設けることができる。
【００５９】
さらに、図８で示すように、脚部１４は、径方向に断続する間隔をより細かくすることで、連続する凸状部群として形成することもできる。
【００６０】
４．紙送り装置の実施例
図１５は紙送り装置の別の実施例を示す断面図である。図１乃至図１４に示した紙送り装置の作用効果は、図１５に示すような紙送りローラ１を用いた場合に顕著になる。
【００６１】
上述したように、紙送り装置は、一般に、同一回転軸６上で複数用いられるか、紙接触部１１が軸方向に長く設置されたものが用いられる。紙接触部１１が軸方向に長く設置されている場合、従来の脚部１４を有しない紙送りローラは、紙接触部１１の中央部分が用紙からの押し圧力により凹状に湾曲してしまうから、紙接触部１１の用紙３に対する接触姿勢にばらつきが生じていた。
【００６２】
これに対し、図１５に示した紙送り装置によると、紙送りローラ１の中央部分においても脚部１４が紙接触部１１を支持しているから、紙接触部１１は、用紙３に対して均一に接触することができる。従って、紙接触部１１が軸方向に長く設置された紙送り装置においても、優れた紙搬送力を有するとともに、紙送りを正確に行うことができる。
【００６３】
図１６は紙送り装置のさらに別の実施例を示す断面図である。本発明において、紙送りローラ１と、紙送りローラ用支持体２とは、両端部以外に複数の支持片と、凹溝とを有することができる。図１乃至図１５において、脚部１４の端縁１４１は平面状に形成されているが、好ましい例示に過ぎない。端縁１４１は、曲面形状、凹凸形状に形成することができる。
【００６４】
図１６を参照すると、端縁１４１は、第１及び第２の支持片１２、１３と同様に、断面円弧状の膨張部を有することができる。図１６に示す構造によると、紙送りローラ１が軸方向により長い紙接触面１１を有したとしても、紙送りローラ用支持体２上での設置姿勢を安定化することができる。
【００６５】
以上、好ましい実施例を参照して本発明の内容を具体的に説明したが、本発明の基本的技術思想及び教示に基づいて、当業者であれば、種種の変形態様を採り得ることは自明である。
【００６６】
【発明の効果】
以上述べたように、本発明によれば、用紙の紙送り姿勢を一定に保つことができる紙送りローラ、及び、紙送り装置を提供することができる。
【図面の簡単な説明】
【図１】本発明に係る紙送りローラの正面図である。
【図２】図１の２−２線に沿った断面図である。
【図３】図１に示した紙送りローラの左側面図である。
【図４】図１に示した紙送りローラの内部構造を示す展開図である。
【図５】本発明に係る紙送り装置の正面図である。
【図６】図５の６−６線に沿った断面図である。
【図７】図５乃び図６に示した紙送り装置に含まれる紙送りローラ用支持体の平面図である。
【図８】図７の８−８線に沿った断面図である。
【図９】図７及び図８に示した紙送り装置の動作を説明する図である。
【図１０】図９の１０−１０線に沿った断面図である。
【図１１】本発明に係る送りローラの別の実施例を示す展開図である。
【図１２】本発明に係る送りローラのさらに別の実施例を示す展開図である。
【図１３】本発明に係る送りローラのさらに別の実施例を示す展開図である。
【図１４】本発明に係る送りローラのさらに別の実施例を示す展開図である。
【図１５】本発明に係る紙送り装置の別の実施例を示す断面図である。
【図１６】本発明に係る紙送り装置さらに別の実施例を示す断面図である。
【符号の説明】
１              紙送りローラ
１０            ローラ基体
１１            紙接触部
１２            第１の支持片
１３            第２の支持片
１４            脚部
１４１          端縁
１５            貫通孔
１６            空洞
２              紙送りローラ用支持体
２０            支持基体
２２            第１の凹溝
２３            第２の凹溝
【図１】
2004331235.tif 000003
【図２】
2004331235.tif 000004
【図３】
2004331235.tif 000005
【図４】
2004331235.tif 000006
【図５】
2004331235.tif 000007
【図６】
2004331235.tif 000008
【図７】
2004331235.tif 000009
【図８】
2004331235.tif 000010
【図９】
2004331235.tif 000011
【図１０】
2004331235.tif 000012
【図１１】
2004331235.tif 000013
【図１２】
2004331235.tif 000014
【図１３】
2004331235.tif 000015
【図１４】
2004331235.tif 000016
【図１５】
2004331235.tif 000017
【図１６】
2004331235.tif 000018